(57)【要約】【課題】  衣類の出し入れ状況を自動的に取得して衣類の管理を行う衣類管理方式および方法を提供する。【解決手段】  第１の値を持つフラグと衣類ＩＤとを含むＩＣタグ１０を装着した衣類はリーダ／ライタ２０の前を通過してクローゼット５０を出入りする。リーダ／ライタ２０は衣類に装着したＩＣタグ１０から情報を読み取る。リーダ／ライタ２０は読み取った情報に日付情報を付加してユーザ端末３０に送信し、ＩＣタグ１０に含まれるフラグを第２の値に書き直す。ユーザ端末３０は受信した情報にユーザＩＤを付加して管理サーバ４０１に送信する。管理サーバ４０１は受信した情報を衣類管理データベース４０２に登録すして管理する。【選択図】      図１
2005208829.tif 000002
【特許請求の範囲】
【請求項１】
衣類に装着したＩＣタグの情報を読み込み前記衣類のクローゼットに対する出入情報を含む管理情報を作成して送信する手段と、
受信した前記管理情報を保管して管理する手段と、
を備える衣類管理方式。
【請求項２】
衣類に装着したＩＣタグの情報を読み込み前記衣類のクローゼットに対する出入情報を含む管理情報を作成して送信する手段と、
受信した前記管理情報を保管して管理する手段と、
前記管理情報を基にオークションに出品する衣類を選択する手段と、
を備える衣類管理方式。
【請求項３】
ＩＣタグとリーダ／ライタとユーザ端末と管理サービスプロバイダとを含み衣類の管理を行う衣類管理方式であって、
前記ＩＣタグは、
衣類に装着され前記衣類がクローゼットに入っているか外に出ているかを示すフラブと衣類ＩＤとを含む情報を有し、
前記リーダ／ライタは、
前記衣類を収納するクローゼットの出入口の上に設置され前記衣類に付いているＩＣタグの情報を読み書きする手段と、
前記ＩＣタグから読み出した情報に日付情報を付加する手段と、
前記日付情報を付加した情報をユーザ端末に送信する手段とを有し、
前記ユーザ端末は、
前記リーダ／ライタから受信した情報にユーザＩＤを付加する手段と、
前記ユーザＩＤを付加した情報を前記管理サービスプロバイダに送信する手段とを有し、
前記管理サービスプロバイダは、
前記ユーザ端末から受信した情報を衣類管理データベースに登録する手段を有する、
ことを特徴とする衣類管理方式。
【請求項４】
前記ユーザ端末は、
前記管理サーバにアクセスし前記衣類管理データベースに登録している衣類の情報を閲覧する手段と、
オークションに出品する衣類を選択する手段と、
前記選択した衣類にオークションの出品期限を設定する手段と、
前記管理サーバは、
前記衣類管理データベースの前記選択された衣類に対して前記期限を登録する手段と、
前記衣類管理データベースの前記期限をチェックする手段と、
前記期限を越えた衣類を検出すると前記衣類の情報をオークションデータベースに登録する手段とを有する、
ことを特徴とする請求項３記載の衣類管理方式。
【請求項５】
ＩＣタグを付けた衣類を管理する衣類管理方法であって、
クローゼットの外にいることを示す値を持つフラグと衣類ＩＤとを含む情報ＡＡを記憶するＩＣタグを付けた衣類がリーダ／ライタを備えるクローゼットの中に入る時に、
前記衣類は、
前記リーダ／ライタの前を通過し、
前記リーダ／ライタは、
前記衣類に付いたＩＣタグから前記情報ＡＡを読み取り、
読み取った前記情報ＡＡに日付を付加し情報ＡＢとしてユーザ端末に送信し、
前記ＩＣタグに含まれるフラグをクローゼットの中にいることを示す値に書き直し、
前記ユーザ端末は、
前記情報ＡＢにユーザＩＤを付加し情報ＡＣとして管理サーバに送信し、
前記管理サーバは、
受信した前記情報ＡＣを衣類管理データベースに登録する、
ことを特徴とする衣類管理方法。
【請求項６】
クローゼットの中にいることを示す値を持つフラグと衣類ＩＤとを含む情報ＢＡを記憶するＩＣタグを付けた衣類がリーダ／ライタを備えるクローゼットの外に出る時に、
前記衣類は、
前記リーダ／ライタの前を通過し、
前記リーダ／ライタは、
前記衣類に付いたＩＣタグから前記情報ＢＡを読み取り、
読み取った前記情報ＢＡに日付無効を付加し情報ＢＢとしてユーザ端末に送信し、
前記ＩＣタグに含まれるフラグをクローゼットの外にいることを示す値に書き直し、
前記ユーザ端末は、
前記情報ＢＢにユーザＩＤを付加し情報ＢＣとして管理サーバに送信し、
前記管理サーバは、
受信した前記情報ＢＣを衣類管理データベースに登録する、
ことを特徴とする請求項５記載の衣類管理方法。
【請求項７】
前記衣類の情報を閲覧する場合、
前記ユーザ端末は、
前記管理サーバにアクセスしてログインし、
前記管理サーバは、
前記衣類管理データベースからログインしたユーザの衣類情報を抽出し、
前記衣類情報に含まれる日付から今日までの経過日数を計算し、
前記衣類情報に含まれるフラグから衣類の状態を判断し、
前記衣類情報に含まれる衣類ＩＤから衣類情報データベースの該当する商品情報を抽出し、
前記経過日数と前記衣類の状態と前記商品情報とを前記ユーザ端末に送信し、
前記ユーザ端末は、
受信した衣類の情報を閲覧する、
ことを特徴とする請求項５または請求項６記載の衣類管理方法。
【請求項８】
前記衣類をオークションに出品する場合、
前記ユーザ端末は、
前記管理サーバにアクセスし衣類管理データベースに登録している衣類の情報を閲覧し、
オークションに出品する衣類を選び、
オークションの出品期限を入力して前記管理サーバに送信し、
前記管理サーバは、
受信した前記期限を前記衣類管理データベースに登録し、
前記衣類管理データベースの前記期限をチェックし、
前記期限を越えた衣類を検出すると前記衣類の情報をオークションデータベースに登録する、
ことを特徴とする請求項５記載の衣類管理方法。
【請求項９】
前記管理サーバは、
前記衣類管理データベースの前記期限をチェックし、
前記期限の一定期間前であることを検出すると前記ユーザ端末に確認メッセージを送信する、
ことを特徴とする請求項８記載の衣類管理方法。
【請求項１０】
衣類に付いているＩＣタグの情報を読み書きするリーダ／ライタであって、
前記衣類を収納するクローゼットの出入口の上に設置され、
前記クローゼットの中に入る衣類に付いたＩＣタグから情報を読み取る手段と、
読み取った前記情報に日付を付加して他に送信する手段と、
前記ＩＣタグの情報に含まれるフラグを前記クローゼットに入ったことを示す値に書き直す手段と、
前記クローゼットの外に出る衣類に付いたＩＣタグから情報を読み取る手段と、
読み取った前記情報に日付無効を付加して他に送信する手段と、
前記ＩＣタグの情報に含まれるフラグを前記クローゼットから外に出たことを示す値に書き直す手段と、
を備えるリーダ／ライタ。
【請求項１１】
衣類を収納するクローゼットの出入口の上に設置され衣類に付いているＩＣタグの情報を読み書きするリーダ／ライタのプログラムであって、
リーダ／ライタに、
前記クローゼットの中に入る衣類に付いたＩＣタグから情報を読み取る機能、
読み取った前記情報に日付を付加して他に送信する機能、
前記ＩＣタグの情報に含まれるフラグを前記クローゼットに入ったことを示す値に書き直す機能、
前記クローゼットの外に出る衣類に付いたＩＣタグから情報を読み取る機能、
読み取った前記情報に日付無効を付加して他に送信する機能、
前記ＩＣタグの情報に含まれるフラグを前記クローゼットから外に出たことを示す値に書き直す機能、
を実現させるためのプログラム。
【発明の詳細な説明】
【技術分野】
【０００１】
本発明は、衣類管理方式および方法ならびにリーダ／ライタおよびそのプログラムに関し、特に、衣類にＩＣタグを装着して衣類の管理を行う衣類管理方式および方法ならびにリーダ／ライタおよびそのプログラムに関する。
【背景技術】
【０００２】
特許文献１には、ネットワーク上で行われるオークションへの商品の出品を行うオークション方法の一例が示されている。この方法では、店舗のパソコンが商品毎の商品データを在庫ＤＢに格納している。店舗のパソコンは在庫ＤＢ内で最終取引日から商品毎に予め設定されている日数（不良在庫判断日数）が過ぎても残っている商品を不良在庫と見なして不良在庫ＤＢに格納する。店舗のパソコンは不良在庫と見なされた商品の中からユーザに指定させた商品をオークション出品ＤＢに格納してオークションに出品する。
【０００３】
【特許文献１】特開２００１−２８３０４７号公報
【発明の開示】
【発明が解決しようとする課題】
【０００４】
しかしながら、上述した背景技術では、以下のような問題点がある。
【０００５】
すなわち、店舗における商品を管理対象にしているので、自宅で保有している衣類についての管理ができないことである。
【０００６】
また、不良在庫ＤＢの中からオークションに出品する商品を個々に指定しなければいけないことである。
【０００７】
本発明の目的は、上記の問題点を解決し、衣類の出し入れ状況を自動的に取得して衣類の管理を行う衣類管理方式および方法ならびにリーダ／ライタおよびそのプログラムを提供することにある。
【課題を解決するための手段】
【０００８】
本願第１の発明の衣類管理方式は、衣類に装着したＩＣタグの情報を読み込み前記衣類のクローゼットに対する出入情報を含む管理情報を作成して送信する手段と、受信した前記管理情報を保管して管理する手段と、を備える。
【０００９】
本願第２の発明の衣類管理方式は、衣類に装着したＩＣタグの情報を読み込み前記衣類のクローゼットに対する出入情報を含む管理情報を作成して送信する手段と、受信した前記管理情報を保管して管理する手段と、前記管理情報を基にオークションに出品する衣類を選択する手段と、を備える。
【００１０】
本願第３の発明の衣類管理方式は、ＩＣタグとリーダ／ライタとユーザ端末と管理サービスプロバイダとを含み衣類の管理を行う衣類管理方式であって、前記ＩＣタグは、衣類に装着され前記衣類がクローゼットに入っているか外に出ているかを示すフラブと衣類ＩＤとを含む情報を有し、前記リーダ／ライタは、前記衣類を収納するクローゼットの出入口の上に設置され前記衣類に付いているＩＣタグの情報を読み書きする手段と、前記ＩＣタグから読み出した情報に日付情報を付加する手段と、前記日付情報を付加した情報をユーザ端末に送信する手段とを有し、前記ユーザ端末は、前記リーダ／ライタから受信した情報にユーザＩＤを付加する手段と、前記ユーザＩＤを付加した情報を前記管理サービスプロバイダに送信する手段とを有し、前記管理サービスプロバイダは、前記ユーザ端末から受信した情報を衣類管理データベースに登録する手段を有する、ことを特徴とする。
【００１１】
本願第４の発明の衣類管理方式は、第３の発明において前記ユーザ端末は、前記管理サーバにアクセスし前記衣類管理データベースに登録している衣類の情報を閲覧する手段と、オークションに出品する衣類を選択する手段と、前記選択した衣類にオークションの出品期限を設定する手段と、前記管理サーバは、前記衣類管理データベースの前記選択された衣類に対して前記期限を登録する手段と、前記衣類管理データベースの前記期限をチェックする手段と、前記期限を越えた衣類を検出すると前記衣類の情報をオークションデータベースに登録する手段とを有する、ことを特徴とする。
【００１２】
本願第５の発明の衣類管理方法は、ＩＣタグを付けた衣類を管理する衣類管理方法であって、クローゼットの外にいることを示す値を持つフラグと衣類ＩＤとを含む情報ＡＡを記憶するＩＣタグを付けた衣類がリーダ／ライタを備えるクローゼットの中に入る時に、前記衣類は、前記リーダ／ライタの前を通過し、前記リーダ／ライタは、前記衣類に付いたＩＣタグから前記情報ＡＡを読み取り、読み取った前記情報ＡＡに日付を付加し情報ＡＢとしてユーザ端末に送信し、前記ＩＣタグに含まれるフラグをクローゼットの中にいることを示す値に書き直し、前記ユーザ端末は、前記情報ＡＢにユーザＩＤを付加し情報ＡＣとして管理サーバに送信し、前記管理サーバは、受信した前記情報ＡＣを衣類管理データベースに登録する、ことを特徴とする。
【００１３】
本願第６の発明の衣類管理方法は、第５の発明においてクローゼットの中にいることを示す値を持つフラグと衣類ＩＤとを含む情報ＢＡを記憶するＩＣタグを付けた衣類がリーダ／ライタを備えるクローゼットの外に出る時に、前記衣類は、前記リーダ／ライタの前を通過し、前記リーダ／ライタは、前記衣類に付いたＩＣタグから前記情報ＢＡを読み取り、読み取った前記情報ＢＡに日付無効を付加し情報ＢＢとしてユーザ端末に送信し、前記ＩＣタグに含まれるフラグをクローゼットの外にいることを示す値に書き直し、前記ユーザ端末は、前記情報ＢＢにユーザＩＤを付加し情報ＢＣとして管理サーバに送信し、前記管理サーバは、受信した前記情報ＢＣを衣類管理データベースに登録する、ことを特徴とする。
【００１４】
本願第７の発明の衣類管理方法は、第５または第６の発明において前記衣類の情報を閲覧する場合、前記ユーザ端末は、前記管理サーバにアクセスしてログインし、前記管理サーバは、前記衣類管理データベースからログインしたユーザの衣類情報を抽出し、前記衣類情報に含まれる日付から今日までの経過日数を計算し、前記衣類情報に含まれるフラグから衣類の状態を判断し、前記衣類情報に含まれる衣類ＩＤから衣類情報データベースの該当する商品情報を抽出し、前記経過日数と前記衣類の状態と前記商品情報とを前記ユーザ端末に送信し、前記ユーザ端末は、受信した衣類の情報を閲覧する、ことを特徴とする。
【００１５】
本願第８の発明の衣類管理方法は、第５の発明において前記衣類をオークションに出品する場合、前記ユーザ端末は、前記管理サーバにアクセスし衣類管理データベースに登録している衣類の情報を閲覧し、オークションに出品する衣類を選び、オークションの出品期限を入力して前記管理サーバに送信し、前記管理サーバは、受信した前記期限を前記衣類管理データベースに登録し、前記衣類管理データベースの前記期限をチェックし、前記期限を越えた衣類を検出すると前記衣類の情報をオークションデータベースに登録する、ことを特徴とする。
【００１６】
本願第９の発明の衣類管理方法は、第８の発明において前記管理サーバは、前記衣類管理データベースの前記期限をチェックし、前記期限の一定期間前であることを検出すると前記ユーザ端末に確認メッセージを送信する、ことを特徴とする。
【００１７】
本願第１０の発明のリーダ／ライタは、衣類に付いているＩＣタグの情報を読み書きするリーダ／ライタであって、前記衣類を収納するクローゼットの出入口の上に設置され、前記クローゼットの中に入る衣類に付いたＩＣタグから情報を読み取る手段と、読み取った前記情報に日付を付加して他に送信する手段と、前記ＩＣタグの情報に含まれるフラグを前記クローゼットに入ったことを示す値に書き直す手段と、前記クローゼットの外に出る衣類に付いたＩＣタグから情報を読み取る手段と、読み取った前記情報に日付無効を付加して他に送信する手段と、前記ＩＣタグの情報に含まれるフラグを前記クローゼットから外に出たことを示す値に書き直す手段と、を備える。
【００１８】
本願第１１の発明のプログラムは、衣類を収納するクローゼットの出入口の上に設置され衣類に付いているＩＣタグの情報を読み書きするリーダ／ライタのプログラムであって、リーダ／ライタに、前記クローゼットの中に入る衣類に付いたＩＣタグから情報を読み取る機能、読み取った前記情報に日付を付加して他に送信する機能、前記ＩＣタグの情報に含まれるフラグを前記クローゼットに入ったことを示す値に書き直す機能、前記クローゼットの外に出る衣類に付いたＩＣタグから情報を読み取る機能、読み取った前記情報に日付無効を付加して他に送信する機能、前記ＩＣタグの情報に含まれるフラグを前記クローゼットから外に出たことを示す値に書き直す機能、を実現させる。
【発明の効果】
【００１９】
本発明の効果は、衣類のクローゼットに対する出入を自動的に管理できることである。
【００２０】
その理由は、衣類に装着したＩＣタグの情報を読み込んで衣類のクローゼットに対する出入情報を含む管理情報を作成して送信する手段と受信した管理情報を保管して管理する手段とを設けたからである。
【発明を実施するための最良の形態】
【００２１】
本発明は、衣類にＩＣタグを装着して衣類の管理を行い、クローゼットの中に入っている日数をカウントし、ユーザが決めた期間を過ぎるとオークションデータベースに自動登録することを特徴とする。
【００２２】
次に、本発明を実施するための最良の形態の構成について、図面を参照して詳細に説明する。
図１は本発明の全体の構成図である。
図２は管理サービスプロバイダ４０の構成図である。
図３はクローゼット５０とＩＣタグ１０とリーダ／ライタ２０の配置図である。
図４はＩＣタグ１０とリーダ／ライタ２０の構成図および伝送図である。
図１０はＩＣタグ１０のメモリ１０３の構成図である。
図１１は衣類管理データベース４０２内のデータ例である。
図１２は衣類情報データベース４０３内のデータ例である。
図１３はオークションデータベース４０４内のデータ例である。
【００２３】
図１を参照すると、本発明を実施するための最良の形態は、衣類に装備されているＩＣタグ１０と、リーダ／ライタ２０と、ユーザ端末３０と、管理サービスプロバイダ４０と、を備えている。衣類に装備されているＩＣタグ１０とリーダ／ライタ２０とユーザ端末３０とはユーザの家に配置されている。
【００２４】
ＩＣタグ１０とリーダ／ライタ２０は、無線でデータの伝送を行う。リーダ／ライタ２０とユーザ端末３０は、ＵＳＢで接続されている。ユーザ端末３０と管理サービスプロバイダ４０は、インターネット等のネットワーク１００を介して接続されている。
【００２５】
ＩＣタグ１０は、衣類に装備されており、図４に示すように、アンテナ１０１と、送受信部１０２と、メモリ１０３とを含む。ＩＣタグ１０は、電源を持たず、リーダ／ライタ２０の電波を受信すると磁界ができ、磁界内にあるＩＣタグ１０のアンテナ１０１の両端に電位差が生じて、電流を発生させる仕組みである。メモリ１０３は、図１０に示すように、フラグ１０３１と衣類ＩＤ１０３２とを含んでいる。フラグ１０３１は、図３に示す通り、ＩＣタグ１０がクローゼット５０の中にあるときは“００”、クローゼット５０の外にあるときは”０１”と記録される。衣類ＩＤ１０３２は、衣類の識別子である。
【００２６】
リーダ／ライタ２０は、プログラム制御で動作する装置である。リーダ／ライタ２０は、図４に示すように、制御部２０１と、送受信部２０２と、アンテナ２０３とを含む。リーダ／ライタ２０は、ＩＣタグ１０とアンテナ２０３を通して情報の送受信を行い、ユーザ端末３０に情報を転送する。また、リーダ／ライタ２０は、日付機構を有している。リーダ／ライタ２０は、図３に示すように、クローゼット５０の出入り口の上に設置されており、床に向かって電波を発している（図３の矢印）。リーダ／ライタ２０は、クローゼット５０の扉を閉じると電波は発しない。
【００２７】
ユーザ端末３０は、プログラム制御で動作し、例えばパーソナルコンピュータ等の情報処理装置である。ユーザ端末３０は、リーダ／ライタ２０から受け取った情報を、ネットワーク１００を介して、管理サービスプロバイダ４０へ転送する。また、ユーザ端末３０は、管理サービスプロバイダ４０にアクセスし、衣類管理データベース４０２や衣類情報データベース４０３のデータを表示して衣類の管理を行う。
【００２８】
管理サービスプロバイダ４０は、図２に示すように、管理サーバ４０１と、衣類管理データベース４０２と、衣類情報データベース４０３と、オークションデータベース４０４とを有している。
【００２９】
管理サーバ４０１は、プログラム制御で動作する情報処理装置である。管理サーバ４０１は、ユーザ端末３０との間で、衣類管理データベース４０２，衣類情報データベース４０３あるいはオークションデータベース４０４のデータを送受信する。管理サーバ４０１は、衣類管理データベース４０２を基に、ユーザ端末３０から要求された情報を作成してユーザ端末３０に配信する。また、管理サーバ４０１は、衣類管理データベース４０２の日付を定期的（例えば一日一回）に監視し、期限切れの衣類がないかをチェックする。管理サーバ４０１は、クローゼット５０に衣類が入った日付（衣類管理データベース４０２の日付欄）とユーザが設定した期限（衣類管理データベース４０２の期限欄）とを照合することでチェックを行う。管理サーバ４０１は、期限切れの衣類を検出すると、オークションデータベース４０４に登録する。
【００３０】
衣類管理データベース４０２は、図１１に例示するように、ユーザＩＤ毎に、衣類ＩＤ，フラグ，日付および期限を格納する記憶装置である。
【００３１】
衣類情報データベース４０３は、図１２に例示するように、衣類ＩＤ毎に、商品の商品情報（商品の写真，品名，サイズ，カラーおよび素材）を格納する記憶装置である。
【００３２】
オークションデータベース４０４は、図１３に例示するように、ユーザＩＤ毎に、オークションに出品することが決定した衣類の衣類ＩＤを格納する記憶装置である。
【００３３】
次に、本発明を実施するための最良の形態の動作について、図１〜図１４を用いて詳細に説明する。
図５は衣類がクローゼットの中に入るときの動作についてのフローチャートである。
図６は衣類がクローゼットの外に出るときの動作についてのフローチャートである。
図７はオークションに出品するまでの期限を決定する動作についてのフローチャートである。
図８は衣類を廃棄する場合の動作についてのフローチャートである。
図９は衣類情報の閲覧の動作についてのフローチャートである。
図１４は衣類を閲覧する画面例である。
【００３４】
初めに、図５を参照して、『衣類がクローゼットの中に入るとき』の動作について説明する。
【００３５】
衣類がクローゼットの中に入るとき、図３に示す通り、ＩＣタグ１０はリーダ／ライタ２０の前を通過する（ステップＡ１）。通過するとき、図４に示すとおり、ＩＣタグ１０のアンテナ１０１とリーダ／ライタ２０のアンテナ２０３との間において情報の伝送を行う。
【００３６】
リーダ／ライタ２０は、ＩＣタグ１０のメモリ１０３から情報ＡＡ５０１（フラグの初期値は“０１”）を読み取る（ステップＡ２）。
【００３７】
リーダ／ライタ２０は、読み込んだ日付を情報ＡＡ５０１に付加（情報ＡＢ５０２）して（ステップＡ３）、ユーザ端末３０に情報ＡＢ５０２を転送する（ステップＡ４）。
【００３８】
ユーザ端末３０は、情報ＡＢ５０２を受信して記録する（ステップＡ５）。
【００３９】
ユーザ端末３０は、フラグ“０１”となった情報ＡＢ５０２にユーザＩＤをつけて（情報ＡＣ５０３）、管理サーバ４０１へ転送する（ステップＡ６）。
【００４０】
管理サーバ４０１は、情報ＡＣ５０３を衣類管理データベース４０２へ転送する（ステップＡ７）。
【００４１】
衣類管理データベース４０２は、情報ＡＣ５０３を記録する（ステップＡ８）。
【００４２】
リーダ／ライタ２０は、ステップＡ４の動作を行った後、ＩＣタグ１０がクローゼット５０の中に入った状態であることを示すため、ＩＣタグ１０のメモリ１０３のフラグを“００”と書き込む（ステップＡ９）。
【００４３】
ＩＣタグ１０は、メモリ１０３に情報ＡＤ５０４を記録する（ステップＡ１０）。
【００４４】
衣類はクローゼット５０の中に入る（ステップＡ１１）。
【００４５】
なお、クローゼット５０の出入りの判断は、衣類管理データベース４０２のフラグの値から管理サーバ４０１が判断する。管理サーバ４０１は、フラグの値が“００”の時に衣類がクローゼット５０の外にあると判断し、フラグの値が“０１”の時に衣類がクローゼット５０の中にあると判断する。
【００４６】
次に、図６を参照して、『衣類がクローゼット５０の外に出たとき』の動作について説明する。
【００４７】
図３に示す通り、ＩＣタグ１０はクローゼット５０の外に出るとき、リーダ／ライタ２０の前を通過する（ステップＢ１）。
【００４８】
リーダ／ライタ２０は、ＩＣタグ１０のメモリの情報ＢＡ６０１を読み込む（ステップＢ２）。
【００４９】
リーダ／ライタ２０は、クローゼット５０の中にＩＣタグ１０がある日数を無効にするため、情報ＢＡ６０１に日付無効（日付を無効にすることを意味する）を付加（情報ＢＢ６０２）する（ステップＢ３）。
【００５０】
リーダ／ライタ２０は、ユーザ端末３０へ情報ＢＢ６０２を転送する（ステップＢ４）。
【００５１】
ユーザ端末３０は、情報ＢＢ６０２を記録し（ステップＢ５）、フラグ“００”となった情報ＢＢ６０２にユーザＩＤをつけて（情報ＢＣ６０３）、管理サーバ４０１へ転送する（ステップＢ６）。
【００５２】
管理サーバ４０１は、情報ＢＣ６０３を衣類管理データベース４０２へ転送する（ステップＢ７）。
【００５３】
衣類管理データベース４０２は、情報ＢＣ６０３を記録する（ステップＢ８）。
【００５４】
リーダ／ライタ２０は、ステップＢ４の動作が終わった後、ＩＣタグ１０のメモリ１０３のフラグを“０１”と書き込む（ステップＢ９）。
【００５５】
ＩＣタグ１０はメモリ１０３に情報ＢＤ６０４を記録する（ステップＢ１０）。
【００５６】
衣類はクローゼットの外に出る（ステップＢ１１）。
【００５７】
次に、図７を参照して、『オークションへの出品』についての動作を説明する。
【００５８】
ユーザは、ユーザ端末３０から、オークションに出品する方法を選択できる。
【００５９】
ユーザ端末３０は、管理サービスプロバイダ４０へアクセスし、自分の衣類の情報を閲覧し（ステップＣ１）、オークションに出品する衣類を選ぶ（ステップＣ２）。
【００６０】
ユーザ端末３０は、期限つきでオークションに出品する場合（ステップＣ３）、期限を入力する（ステップＣ４）。
【００６１】
ユーザ端末３０は、情報ＣＡ７０１を管理サーバ４０１へ転送する（ステップＣ５）。
【００６２】
管理サーバ４０１は、衣類管理データベース４０２へ情報ＣＡ７０１を転送する（ステップＣ６）。
【００６３】
管理サーバ４０１は、図１１に示す通り、衣類管理データベース４０２の該当するユーザＩＤおよび衣類ＩＤの期限を登録する（ステップＣ７）。
【００６４】
管理サーバ４０１は、衣類管理データベース４０２の期限の情報を一日一回、期限切れの衣類がないかチェックする（ステップＣ８）。
【００６５】
管理サーバ４０１は、期限切れの衣類を検出する（ステップＣ９）と、図１１に示す通り、衣類管理データベース４０２の該当するユーザの衣類に対して、フラグ“１０”と書き込む（ステップＣ１０）。フラグ“１０”はオークションに出品した衣類であることを示すフラグである。
【００６６】
衣類管理データベース４０２は、フラグ“１０”を記録する（ステップＣ１１）。
【００６７】
管理サーバ４０１は、オークションに出品する衣類の情報ＣＢ７０２をオークションデータベース４０４へ転送する（ステップＣ１２）。
【００６８】
オークションデータベース４０４は、図１３に示す通り、情報ＣＢ７０２を記録する（ステップＣ１３）。
【００６９】
管理サーバ４０１は、オークションに出品する衣類をネットオークションに出品する（ステップＣ１４）。
【００７０】
ユーザ端末３０は、即オークションに出品する場合（ステップＣ３）、ステップＣ１０へ進み、以下同じ動作をする。
【００７１】
次に、図８を参照して、『衣類を破棄する場合』の動作について説明する。
【００７２】
ユーザ端末３０は、オークションに出品できない、不要になった衣類を破棄するとき、破棄する衣類に関する情報を削除するため、管理サービスプロバイダ４０にアクセスする（ステップＤ１）。
【００７３】
ユーザ端末３０は、破棄する衣類を選択する（ステップＤ２）。
【００７４】
管理サーバ４０１は、図１１に示す通り、衣類管理データベース４０２の該当するユーザＩＤの衣類ＩＤ、フラグ、日付、期限の情報を削除する（ステップＤ３〜Ｄ４）。
【００７５】
次に、図９を参照して、『自分の衣類情報の閲覧の方法』について説明する。
【００７６】
ユーザ端末３０は、管理サービスプロバイダ４０にログインする（ステップＥ１）。
【００７７】
管理サーバ４０１は、図１１に示すとおり、衣類管理データベース４０２から、ログインしたユーザの衣類情報ＥＡ９０１を呼び出す（ステップＥ２）。
【００７８】
管理サーバ４０１は、情報ＥＡ９０１の日付から、今日までの経過日数を計算する（ステップＥ３）。
【００７９】
管理サーバ４０１は、情報ＥＡ９０１のフラグから衣類の状態を判断する（ステップＥ４）。
【００８０】
管理サーバ４０１は、情報ＥＡ９０１の衣類ＩＤから、図１２に示す通り、衣類情報データベース４０３の該当する情報ＥＢ９０２を呼び出す（ステップＥ５）。
【００８１】
管理サーバ４０１は、ステップＥ３、ステップＥ４、ステップＥ５で処理した衣類情報を、ユーザ端末３０へ転送する（ステップＥ６）。
【００８２】
ユーザは、ユーザ端末３０から自分の衣類の情報を閲覧する（ステップＥ７）。衣類の情報を閲覧する画面例を図１４に示す。
【００８３】
このように、衣類にＩＣタグを装着することで、管理サーバの衣類管理データベースを参照して、自分の持っている衣類に関する管理を行うことができる。また、オークションへの出品登録を行うことができる。これにより、以下のような効果を奏する。
（１）衣類のクローゼットに対する出入を自動的に管理することができる。
（２）自分の所有する衣類の量を把握でき、買い過ぎてしまう行為を防げ、同じような衣類を購入してしまうミスを防ぐことができる。
（３）オークションへの出品の手間を簡単にすることができる。不要になり処分したい衣類でも、まだ使えるものに関しては利用価値がある。オークション等に出すことでリサイクルユーザを増やすことができ、資源を有効利用できる。
（４）クローゼットの中に眠っている衣類や全く着なくなった衣類について、着なくなった日数を自動でカウントするため、着ていない日数を把握することができ、自分にとって不要なものという判断がしやすくなる。
（５）ユーザが決めた期限を過ぎると自動でオークションに出品することができるため、処分する手間が省け、資源を再利用することで、資源の無駄を防ぐことができ、さらにクローゼット中を整理整頓しやすくなる。
【００８４】
次に、本発明の他の実施例ついて説明する。
【００８５】
本発明の他の実施例は、上述した実施例に対して、オークションに出品する前にユーザ端末に確認メッセージを送信することが異なる。
【００８６】
管理サーバは、オークションへの出品期限を登録した衣類に対して、衣類管理データベースの期限を定期的にチェックする。管理サーバは、衣類管理データベースの期限の一定期間前（例えば１日前）を検出すると、オークションに出品してよいかの確認メッセージをユーザ端末に送信する。ユーザ端末がオークションへの出品を取り止める旨の回答を返信した場合には、管理サーバは衣類管理データベースのオークションへの出品期限登録を削除する。ユーザ端末がオークションへの出品を行う旨の回答を返信した場合には、管理サーバはオークションデータベースに登録する。
【００８７】
これにより、オークションへの出品期限直前に、ユーザはオークションへの出品を再考する機会を得ることができる。
【００８８】
本発明による上述した実施の形態において、リーダ／ライタの処理動作を実行するためのプログラム等を、データとしてリーダ／ライタの記録媒体（図示せず）に記録するようにし、記録されたデータを読み出してリーダ／ライタを動作させるために用いる。このように、本発明によるリーダ／ライタを動作させるデータを記録媒体に記録させ、この記録媒体をインストールすることによりリーダ／ライタの機能が実現できるようになる。
【図面の簡単な説明】
【００８９】
【図１】本発明の全体の構成図
【図２】管理サービスプロバイダ４０の構成図
【図３】クローゼット５０とＩＣタグ１０とリーダ／ライタ２０の配置図
【図４】ＩＣタグ１０とリーダ／ライタ２０の構成図および伝送図
【図５】衣類がクローゼット５０の中に入るときの動作についてのフローチャートを示す図
【図６】衣類がクローゼットの外に出るときの動作についてのフローチャートを示す図
【図７】オークションに出品するまでの期限を決定する動作についてのフローチャートを示す図
【図８】衣類を廃棄する場合の動作についてのフローチャートを示す図
【図９】衣類情報の閲覧の動作についてのフローチャートを示す図
【図１０】ＩＣタグ１０のメモリ１０３の構成図
【図１１】衣類管理データベース４０２内のデータ例を示す図
【図１２】衣類情報データベース４０３内のデータ例を示す図
【図１３】オークションデータベース４０４内のデータ例を示す図
【図１４】衣類を閲覧する画面例を示す図
【符号の説明】
【００９０】
１０    ＩＣタグ
２０    リーダ／ライタ
３０    ユーザ端末
４０    管理サービスプロバイダ
５０    クローゼット
１００    ネットワーク
１０１    アンテナ
１０２    送受信部
１０３    メモリ
２０１    制御部
２０２    送受信部
２０３    アンテナ
４０１    管理サーバ
４０２    衣類管理データベース
４０３    衣類情報データベース
４０４    オークションデータベース
５０１    情報ＡＡ
５０２    情報ＡＢ
５０３    情報ＡＣ
５０４    情報ＡＤ
６０１    情報ＢＡ
６０２    情報ＢＢ
６０３    情報ＢＣ
６０４    情報ＢＤ
７０１    情報ＣＡ
７０２    情報ＣＢ
９０１    情報ＥＡ
９０２    情報ＥＢ
１０３１    フラグ
１０３２    衣類ＩＤ
【図１】
2005208829.tif 000003
【図２】
2005208829.tif 000004
【図３】
2005208829.tif 000005
【図４】
2005208829.tif 000006
【図５】
2005208829.tif 000007
【図６】
2005208829.tif 000008
【図７】
2005208829.tif 000009
【図８】
2005208829.tif 000010
【図９】
2005208829.tif 000011
【図１０】
2005208829.tif 000012
【図１１】
2005208829.tif 000013
【図１２】
2005208829.tif 000014
【図１３】
2005208829.tif 000015
【図１４】
2005208829.tif 000016